(57)【要約】【課題】  欲するときに微細な炭酸ガスの気泡を供給可能として炭酸泉にすることが可能であるばかりか、簡単な構造で従来の筐体に組み込むことが可能で、操作も容易である循環浴装置（２４時間風呂）を提供する。【解決手段】  浴槽１に設置された吸水口２１と吐出口２２とを有する循環流水路２に、浄化装置３、循環ポンプ４、殺菌装置５、加熱ヒータ６を配置して、浴槽１に貯留させた浴槽水７を浄化、殺菌、加熱して常時適温の浴槽水７を維持するとともに、循環流水路２に炭酸塩を添加した浴槽水７を電気分解して炭酸ガスを発生させる炭酸ガス発生装置１０を配置して浴槽水７に炭酸ガスの微細な気泡を供給可能とした。【選択図】図１
0003131357.tif 000002
【実用新案登録請求の範囲】
【請求項１】
浴槽に配置された吸水口と吐出口とを有する循環流水路に、少なくとも浄化装置、循環ポンプ、殺菌装置、加熱ヒータを配置して、前記浴槽に貯留させた浴槽水を浄化、殺菌、加熱して常時適温の浴槽水を維持するとともに、前記循環流水路に炭酸塩を添加した浴槽水を電気分解して炭酸ガスを発生させる炭酸ガス発生装置を配置して前記浴槽水に炭酸ガスの微細な気泡を供給可能としたたことを特徴とする炭酸ガスを供給可能な循環浴装置。
【請求項２】
前記炭酸ガス発生装置が循環流水路に形成された分岐水路に配置されている請求項１記載の炭酸ガスを供給可能な循環浴装置。
【請求項３】
前記分岐水路が前記循環流水路の殺菌装置の前後に連結されている請求項２に記載の炭酸ガスを供給可能な循環浴装置。
【請求項４】
前記炭酸ガス発生装置が配置された循環流水路に形成された分岐水路にこの分岐水路の開閉又は流量の調節の少なくとも一方が可能な分岐弁が配設されている請求項２記載の炭酸ガスを供給可能な循環浴装置。
【請求項５】
前記分岐水路の前記炭酸ガス発生装置の流入口に炭酸塩添加装置が配置されている請求項１，２，３または４に記載の炭酸ガスを供給可能な循環浴装置。
【請求項６】
前記炭酸塩が少なくともセスキ炭酸塩を含む請求項１，２，３，４または５に記載の炭酸ガスを供給可能な循環浴装置。
【請求項７】
前記炭酸ガス発生装置が無隔膜の流動式電解槽を有し、印加する電解電流密度が限界電流密度以上である請求項１，２，３，４，５または６に記載の炭酸ガスを供給可能な循環浴装置。
【請求項８】
前記炭酸ガス発生装置が定電流電源装置を有している請求項１，２，３，４，５，６または７に記載の炭酸ガスを供給可能な循環浴装置。
【請求項９】
前記殺菌装置が浴槽水に食塩水を添加して電解装置で電解することにより発生させる塩素水によるものであり、この電解装置に前記電解による炭酸ガス発生装置が並設されていることを特徴とする請求項１，２，３，４，５，６，７または８に記載の炭酸ガスを供給可能な循環浴装置。
【請求項１０】
前記浄化装置、循環ポンプ、殺菌装置、加熱ヒータおよび炭酸ガス発生装置が１つのユニットとして筐体に収納されている請求項１，２，３，４，５，６，７，８または９に記載の炭酸ガスを供給可能な循環浴装置。
【考案の詳細な説明】
【技術分野】
【０００１】
本考案は、浴槽に設置された吸水口と吐出口とを有する循環流水路に、浄化装置、循環ポンプ、殺菌装置、加熱ヒータを配置して、前記浴槽に貯留させた浴槽水を浄化、殺菌、加熱して常時適温の浴槽水を維持する循環浴装置、殊に浴槽水に炭酸ガスの微細な気泡を供給可能としたたことを特徴とする炭酸ガスを供給可能な循環浴装置に関するものである。
【背景技術】
【０００２】
従来、例えば図５及び図６に示すように、浴槽１に配置された吸水口２１と吐出口２とを有する循環流水路２に、例えばミネラル石、微生物濾過などの循環式の浄化装置３、循環ポンプ４、小型の電解槽により食塩を電解して生じる次亜塩素酸、オゾン発生装置、紫外線発生装置などを用いた殺菌装置５、加熱ヒータ６を配置して、前記浴槽１に貯留させた浴槽水７を浄化、殺菌、加熱して常時適温の浴槽水を維持する循環浴装置が用いられており、所謂２４時間風呂といわれて普及しており前記各装置を小型の筐体８に収容させた家庭用の小型のものも市販されている。
【０００３】
また、前記循環浴装置（２４時間風呂）の吐出口２にエアーポンプ４を配置して微細な気泡を噴出させることによりマッサージ効果と視覚的効果を得るものも知られているが気泡径も数十ミクロンと大きく付加価値として充分とはいえない。
【０００４】
ところで、近頃、所定量の炭酸ガスの微細な気泡が溶解する浴槽水（炭酸泉）は人体の抹消血行をよくして疲労回復や美容などの目的で入浴やシャワーなどに用いられており、特に、気泡径が微細でナノバブルと呼ばれる気泡が殺菌、浄化作用等を有することが知られており、循環浴装置（２４時間風呂）においても炭酸泉を利用したものが要望されている。
【０００５】
炭酸泉を得るための簡易な手段は、例えば特開２００５−３１４２３３号公報に提示されているように炭酸塩と酸とを利用した薬剤を用いる方法が知られているが、発生するガスの気泡径が浴槽水への溶解量が少なく（濃度か３００〔ｍｇ／Ｌ〕程度で炭酸泉としての効果を発揮するには充分でなく、殊に、反応速度が速いことから薬剤を浴槽水に投入してから炭酸ガスの発生が短時間で終わってしまうことから、いつでも入浴が可能な循環浴装置（２４時間風呂）に利用するには不向きである。また、現在、市販されているものは炭酸塩以外に循環浴装置の機器にあく影響を及ぼす成分も加えられているという問題点もある。
【０００６】
そこで、希望の入浴時に高濃度の炭酸泉を生成でき、それ以外のときはポンプの回転数を落としてバイパス管路により浴槽水を循環することにより省エネおよび省騒音であるとともに、２４時間適温に保たれた風呂が特開２００６−２３９５４号公報に提示されている。
【０００７】
この特開２００６−２３９５４号公報に提示されている炭酸泉を提供可能な２４時間風呂は、循環させる浴槽水などを炭酸ガスが圧力充填された圧力容器に噴射送水し炭酸ガスを効率よく溶解するものであり、従来の炭酸泉の形成手段である特公平８−４７３１号公報、特開２００1 −２９３３４２号公報、特開２００４ −１３６２７２号公報等に提示されている中空糸膜を用いたもののように大型の装置や騒音を発生しないという利点を有している。
【０００８】
しかしながら、前記特開２００６−２３９５４号公報に提示されている２４時間風呂は、炭酸ガスの微細な気泡を発生させるための装置として炭酸ガスボンベや圧力容器を要するものであり、設備が大型化したり、取り扱いが容易でなく、前記図５及び図６に示したような家庭の浴室に設置された浴槽でも使用可能な小型の筐体８に組み込んで使用することはできない。
【特許文献１】特開２００５−３１４２３３号公報
【特許文献２】特開２００６−２３９５４号公報
【特許文献３】特公平８−４７３１号公報
【特許文献４】特開２００1 −２９３３４２号公報
【特許文献５】特開２００４ −１３６２７２号公報
【考案の開示】
【考案が解決しようとする課題】
【０００９】
本考案は、上記のような問題点を解決するためになされたものであり、欲するときに微細な炭酸ガスの気泡を供給可能として炭酸泉にすることが可能であるばかりか、簡単な構造で従来の筐体に組み込むことが可能で、操作も容易である循環浴装置（２４時間風呂）を提供することを課題とする。
【課題を解決するための手段】
【００１０】
前記課題を解決するためになされた本考案は、浴槽に設置された吸水口と吐出口とを有する循環流水路に、浄化装置、循環ポンプ、殺菌装置、加熱ヒータを配置して、前記浴槽に貯留させた浴槽水を浄化、殺菌、加熱して常時適温の浴槽水を維持するとともに、前記循環流水路に炭酸塩を添加した浴槽水を電気分解して炭酸ガスを発生させる炭酸ガス発生装置を配置して前記浴槽水に炭酸ガスの微細な気泡を供給可能としたことを特徴とする。
【００１１】
本考案は、循環流水路に配置した炭酸ガス発生装置により炭酸塩を添加した浴槽水を電気分解して炭酸ガスの微細な気泡（直径が少なくとも５０〔μｍ〕以下のもの）（以下「マイクロバブル」という）を循環する浴槽水に供給して、短時間に高濃度（少なくとも１０００〔ｍ／Ｌ〕以上）の炭酸ガスを溶解させた炭酸泉を生成することとした。
【００１２】
本考案は、炭酸ガス発生装置を循環流水路に形成された分岐水路に配置してこの分岐水路にこの分岐水路の開閉および開弁時に流量の調節が可能な分岐弁を配設することにより常時は開閉弁を閉弁して炭酸ガス発生装置への浴槽水の供給を停止し、必要時、即ち、入浴時には開閉弁を開弁して炭酸ガス発生装置へ浴槽水を供給して電解を行い炭酸ガスを循環流水路に供給して炭酸泉を生成することにより、きわめて効率よく、炭酸泉を生成することができ、開閉弁を流量調節可能とすることにより、所望量の炭酸ガスを供給することができる。
【００１３】
また、前記分岐水路が前記循環流水路の殺菌装置の前後に連結することにより、殺菌装置と並列に配置させ、殺菌装置による電解による炭酸ガス発生の阻害を防止することができ、炭酸ガスを有効に供給可能とし、前記分岐水路の前記炭酸ガス発生装置の流入口に炭酸塩添加装置が配置されている場合には、必要時、即ち、入浴時に炭酸塩を循環する浴槽水に添加することとができ、経済的である。
【００１４】
特に、炭酸塩が少なくともセスキ炭酸塩を含む場合には炭酸ナトリウムや炭酸水素ナトリウムなどの炭酸塩を用いた場合に比べて溶解速度が速いので入浴時に合わせて電解が可能であるとともに電気伝導度が高まり、炭酸ガスのマイクロバブルを早く且つ効率よく生成させることができるばかりか浴槽水のｐＨ値の極度の上昇を抑制して入浴に適したｐＨ値を得ることができる。また、前記炭酸ガス発生装置が無隔膜の電解槽を用いることにより、効率よく炭酸ガスのマイクロバブルを発生させることができ、陽極と陰極を接近させて配置させることにより電気抵抗を減少させて省電力化を図ることが可能であり、電解槽を流動式とすることにより発生させた炭酸ガスの気泡が電解槽内に滞留することがなく、炭酸ガスの気泡による電解抵抗の上昇を阻止して電解電流の低下による炭酸ガス発生量の低下を防止することができる。
【００１５】
更に、印加する電解電流密度が限界電流密度以上であると、遮蔽効果（電極に発生ガスが付着する効果）や分散効果（電極で発生する気泡が電解液中に分散して抵抗を増大させる効果）が生じて炭酸ガスのマイクロバブルを多量に発生させることができる。
【００１６】
前記炭酸ガス発生装置が定電流電源装置を有している場合には、炭酸塩の添加により電解する浴槽水の電気伝導度が高くなって過電流状態が生じることを防止して常に定電流で安定した電解状態とすることができる。
【００１７】
更にまた、前記殺菌装置が浴槽水に食塩水を添加して電解装置で電解することにより発生させる塩素水によるものであり、この電解装置に前記電解による炭酸ガス発生装置を並設させた場合には、前記循環流水路での殺菌装置と炭酸ガス発生装置との切り替え工程の構造も容易であり、また、殺菌装置に用いる電源装置を炭酸ガス発生装置にも容易に併用することができ、経済的にもスペース的にも優れており、前記浄化装置、循環ポンプ、殺菌装置、加熱ヒータおよび炭酸ガス発生装置が１つのユニットとして筐体に収納されている場合には、従来の家庭用の浴槽にも使用可能な小型の２４時間風呂と全く同様に場所を取らずに設置することもできる。
【考案の効果】
【００１８】
本考案によれば、従来から用いられている常時適温の浴槽水を維持する循環浴装置（２４時間風呂）において、欲しいとき浴槽水に炭酸ガスの微細な気泡（ナノバブル）を容易に且つ効率よく供給可能にするとともに、きわめてコンパクトに形成することができる。
【考案を実施するための最良の形態】
【００１９】
以下に、図面を参照して本考案を実施するための最良の形態を説明する。
【００２０】
図１および図は２は本考案の好ましい実施の形態についての配置を示す平面図および正面図であり、前記図５および図６に示した従来の循環浴装置（２４時間風呂）と同様に、浴槽１に配置された吸水口２１と吐出口２とを有する循環流水路２に、例えば麦岩石などのミネラル石を集積した循環式の浄化装置３、循環ポンプ４、小型の電解槽により食塩を電解して生じる塩素水（次亜塩素酸水）を用いた殺菌装置５を内装した電解装置９、加熱ヒータ６、吐出口２２へ微細な気泡を噴出させるエアーポンプ４などが筐体８内に配置されている。
【００２１】
また、前記電解装置９には前記循環ポンプ４と加熱ヒーター６との間に前記殺菌装置５が配置されており、前記浄化装置３と循環ポンプ４との間に炭酸ガス発生装置１０が配置されており、循環流路２の浄化装置３の入路付近に炭酸塩の添加槽１１がそれぞれ配置されている。
【００２２】
図３は本実施の形態における炭酸ガス発生装置１０の電解装置を示すものであり、一端に浴槽水の流入口１０１が形成されているとともにもう一端に流出口１０２が形成された薄型箱状の電解槽１０３の内部に表面を白金（或いは白金イリジウム合金）で被覆した板状の陽極１０４と陰極１０５が浴槽水流路１０６を挟んで無隔膜で近接して配置されており、電解槽１０３の表面に前記陽極１０４と陰極１０５に接続された接続端子１０７，１０８が設置されており、これらの接続端子１０７，１０８は前記殺菌装置５、循環ポンプ４などの電源を供給するとともに各種装置の制御リレーや制御回路などを収装した電源装置１２に接続されている。
【００２３】
次に、以上の構成を有する本実施の形態についての運転行程につき、図４に示す運転回路概略図を参照して説明する。まず、コンセントを家庭用の電源（１００Ｖ）に差し込み、Ｓｗ１（主電源スイッチ）をＯＮ操作して入力スイッチ（図示せず）をＯＮ操作すると、起動スイッチ回路により制御リレーを介してＳｗ２（ポンプ起動スイッチ）がＯＮとなり、循環ポンプ４が作動し、浴槽１内に貯留させた浴槽水７を吸水口２１から給水し、循環流水路２を介して浄化装置３、循環ポンプ４、殺菌装置５、加熱ヒータ６の順に循環させて吐出口２２から浴槽１に循環する。このとき、サーミスタおよび温度制御基板によりＳｗ３（ヒータ起動スイッチ）を自動的にＯＮ、ＯＦＦ操作して加熱ヒータ６により浴槽水の水温を所望の温度に維持させ、また、塩素殺菌制御回路によりＳｗ３（ヒータ起動スイッチ）を自動的にＯＮ操作してＲｆ１・ＤＣ交換回路により所定の電圧に変圧した直流電源を塩水電解槽に供給して殺菌装置５を作動させることとにより、常時、所望の適温で浄化、殺菌された浴槽水を維持して何時でも入浴が可能な循環風呂（２４時間風呂）としてしようすることができる。
【００２４】
そして、浴槽水７を炭酸泉にするには、炭酸塩の添加槽１１に炭酸塩を充填して循環流路２に炭酸塩を溶解させて炭酸泉生成スイッチ（図示せず）をＯＮ操作して前記電解装置９に並設されている炭酸ガス発生装置１０の炭酸ガス電解槽にリレー回路およびＲｆ２・ＤＣ交換回路を介して所定の電圧に変圧した直流電源を塩水電解槽に供給して電気分解し、炭酸ガスのマイクロバブルを含む浴槽水が生成され、順次、循環流路２の吐出口２２から浴槽１に吐出される。
【００２５】
尚、添加する炭酸塩としては炭酸ナトリウム、炭酸水素ナトリウムなどの一般的なものを単独で或いは混合して用いてもよいが、セスキ炭酸ナトリウム（Ｎａ2ＣＯ3・ＮａＨＣＯ3・２Ｈ2ＣＮａ2ＣＯ3）のようなセスキ炭酸塩を単独で或いは他の炭酸塩と混合して用いることにより、溶解度が増すとともに電気伝導度を上昇させて電気分解を促進し、炭酸ガスの発生率を高めることができ、更に、限界電流（一定の電圧を超えて電解したときに電解効率が低下してくる電流値）を超えて状態において電解することによりマイクロバブルの炭酸ガスを発生させることができる。
【００２６】
また、本実施の形態では、炭酸塩を効率よく手添加するために循環流路２の途中に配置した炭酸塩の添加槽１１から添加することにより、高濃度の炭酸塩を効率よく浴槽水７に溶解させることができるが、浴槽１内において炭酸塩を溶解させてもよい。
【００２７】
更に、本実施の形態では、炭酸ガス発生装置１０を循環流路２を分岐させて殺菌装置５と異なる流路として配置したために、殺菌装置５により塩素水の生成に影響を与えることがない。また、分岐弁（図示せず）を用いることもできるが特に必要でなく、また、吐出口２２付近に調整可能な分岐弁を設けて絞り弁としての効果を発揮させて所定流量の炭酸泉を吐出させることもできる。
【００２８】
更にまた、本実施の形態では、電解による炭酸ガス発生装置１０を電解による殺菌装置５とともに電解装置９として一体的に筐体８内に配置するとともに殺菌装置５や加熱ヒーターなどの電源を得るための大容量を有する電源装置１２をそのまま利用することが可能であることから、従来の炭酸泉の供給ができない循環浴装置（２４時間風呂）と同一の筐体８を使用することができ、経済的であるばかりか小型で設置場所をとらない。また、炭酸ガスボンベや圧力容器などの機器も不要で使用方法も炭酸塩を添加することと電解用の電気を供給するだけの簡単な操作ですみ、特に、入浴やシャワーなど炭酸泉を欲しいときに欲しいだけの量をしようすることができるのできわめて便利で経済性にも優れている。
【００２９】
加えて、炭酸ガスのマイクロバブルは炭酸泉としての血行促進効果による健康の促進を図ることを可能にするだけでなく、殺菌効果も有しており、浴槽１や循環流路２内の一般細菌を減少させて更に安全性を高め、更に、浴室内を含めて洗浄する効果もあり、汚れが付きにくくなるのでより循環浴装置（２４時間風呂）の効果を高めることができる。
【００３０】
尚、本実施の形態では、浄化装置３としてミネラル石を集積させた型のものを用いたので循環する浴槽水７に含まれる炭酸ガスによる影響はないが、浄化装置３として微生物濾過型のものを用いた場合にも浴槽で使用される微生物は嫌気性か通性嫌気性のものが多く影響は少ない。また、前述のように、炭酸泉は洗浄効果があるのでヒーター表面の汚れを防止して加熱効率の低下を防ぐことにもなる。
【実施例】
【００３１】
次に、前記図１および２に示した実施の形態を用いた実施例について説明する。
【００３２】
容量２００〔Ｌ〕の家庭用の浴槽１に水道水からなる浴槽水７を用いて、循環流露２内を循環ポンプ４を用いて所定の流速で循環させ、加熱ヒーター６により水温を４０℃に保って炭酸ガス発生装置１０（電解装置における電解槽１０３（図３参照）は長さが１５０ｍｍ、電極間距離が５ｍｍ程度）に電解電圧２４Ｖを印可して１時間にわたって電気分解した。
【００３３】
その際に、浴槽１内の浴槽水７に炭酸塩（市販の炭酸水素ナトリウム）６０ｇを添加した実施例１および循環流路２に設けた炭酸塩の添加槽１１に添加した実施例２における測定結果を炭酸塩を添加しない比較例とともに表１に示す。
【００３４】
【表１】
0003131357.tif 000003
【００３５】
表１によれば、実施例１および２は浴槽１内の浴槽水７が多量の炭酸ガスを有する炭酸泉になることとが判明し、本考案の有効性が立証された。また、電解電流値が異なるのは電解槽の上流において炭酸塩を添加する場合には電解槽の炭酸塩濃度が高くなるためである。また、実施例ではｐＨ値が上昇しているが、時間の経過とともに元に戻った。更に、実施例ではＯＲＰ値（酸化還元電位）が−に転じたが、水道水中の塩素成分が消滅することと電解により炭酸ガスと水素ガスが発生したためである。
【図面の簡単な説明】
【００３６】
【図１】本考案における好ましい実施の形態の平面概略配置図。
【図２】図１の正面概略配置図。
【図３】図１および図２に示した実施の形態における炭酸ガス発生装置を示すものであり、（ａ）は正面図、（ｂ）は横断面図。
【図４】図１および図２に示した実施の形態における電源並びに制御回路の概略図。
【図５】従来の循環浴装置の平面概略配置図。
【図６】図５の正面概略配置図。
【符号の説明】
【００３７】
１  浴槽、２  循環流路、３  浄化装置、４  エアーポンプ、５  殺菌装置、６  加熱ヒーター、７  浴槽水、８  筐体、９  電解装置、１０  炭酸ガス発生装置、１１  炭酸塩の添加槽
【図１】
0003131357.tif 000004
【図２】
0003131357.tif 000005
【図３】
0003131357.tif 000006
【図４】
0003131357.tif 000007
【図５】
0003131357.tif 000008
【図６】
0003131357.tif 000009
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
浴槽に配置された吸水口と吐出口とを有する循環流水路に、少なくとも浄化装置、循環ポンプ、殺菌装置、加熱ヒータを配置して、前記浴槽に貯留させた浴槽水を浄化、殺菌、加熱して常時適温の浴槽水を維持するとともに、前記循環流水路に炭酸塩を添加した浴槽水を電気分解して炭酸ガスを発生させる炭酸ガス発生装置を配置して前記浴槽水に炭酸ガスの微細な気泡を供給可能としたたことを特徴とする炭酸ガスを供給可能な循環浴装置。
【請求項２】
前記炭酸ガス発生装置が循環流水路に形成された分岐水路に配置されている請求項１記載の炭酸ガスを供給可能な循環浴装置。
【請求項３】
前記分岐水路が前記循環流水路の殺菌装置の前後に連結されている請求項２に記載の炭酸ガスを供給可能な循環浴装置。
【請求項４】
前記炭酸ガス発生装置が配置された循環流水路に形成された分岐水路にこの分岐水路の開閉又は流量の調節の少なくとも一方が可能な分岐弁が配設されている請求項２記載の炭酸ガスを供給可能な循環浴装置。
【請求項５】
前記分岐水路の前記炭酸ガス発生装置の流入口に炭酸塩添加装置が配置されている請求項２，３または４に記載の炭酸ガスを供給可能な循環浴装置。
【請求項６】
前記炭酸塩が少なくともセスキ炭酸塩を含む請求項１，２，３，４または５に記載の炭酸ガスを供給可能な循環浴装置。
【請求項７】
前記炭酸ガス発生装置が無隔膜の流動式電解槽を有し、印加する電解電流密度が限界電流密度以上である請求項１，２，３，４，５または６に記載の炭酸ガスを供給可能な循環浴装置。
【請求項８】
前記炭酸ガス発生装置が定電流電源装置を有している請求項１，２，３，４，５，６または７に記載の炭酸ガスを供給可能な循環浴装置。
【請求項９】
前記殺菌装置が浴槽水に食塩水を添加して電解装置で電解することにより発生させる塩素水によるものであり、この電解装置に前記電解による炭酸ガス発生装置が並設されていることを特徴とする請求項１，２，３，４，５，６，７または８に記載の炭酸ガスを供給可能な循環浴装置。
【請求項１０】
前記浄化装置、循環ポンプ、殺菌装置、加熱ヒータおよび炭酸ガス発生装置が１つのユニットとして筐体に収納されている請求項１，２，３，４，５，６，７，８または９に記載の炭酸ガスを供給可能な循環浴装置。